(57)【要約】  ダブルシステム編成により筒状に編地の編成を行う場合でも、前側編地部と後側編地部との境界部分に大きな孔が発生しない編地を提供する。  少なくとも前後一対の針床を有し、前後の針床間で編目の目移しが可能に構成される横編機を用いて、２つの給糸口から給糸してダブルシステム編成により筒状に連続編成を行う筒状編地の編成方法である。その編成方法は、前側編地部と後側編地部の前後の境界に、境界ウエールを形成し、この境界ウエールは、編目を捻りながら編目を連続形成していくとともに、この捻じれた編目を形成する編糸と異なる編糸を捻じれた編目に巻きつけて形成する。
2007099709.tif 000002
【特許請求の範囲】
【請求項１】
少なくとも前後一対の針床を有し、前後の針床間で編目の目移しが可能に構成される横編機を用いて、２つの給糸口から給糸してダブルシステム編成により筒状に連続編成を行う筒状編地の編成方法であって、
前側編地部と後側編地部の前後の境界に、境界ウエールを形成し、
この境界ウエールは、編目を捻りながら編目を連続形成していくとともに、この捻じれた編目を形成する編糸と異なる編糸を捻じれた編目に巻きつけて形成することを特徴とする筒状編地の編成方法。
【請求項２】
請求の範囲第１項に記載の筒状編地の編成方法は、２本の編糸が交差する側の編幅方向端部に境界ウエールを形成することを特徴とし、以下のステップにより行う；
先行する給糸口からの給糸で、前後の編地部の一方を、境界ウエールを形成する側から他端側まで１コース編成し、その編成の際に、境界ウエールとなる編目を形成しないステップａ１
後行する給糸口からの給糸で、前後の編地部の一方を、境界ウエールを形成する側から他端側まで１コース編成し、その編成の際に、境界ウエールとなる編目を形成するステップｂ１
ステップｂ１で編成した境界ウエールとなる編目を対向する針床の空針に目移しするステップｃ１
先行する給糸口からの給糸で、前後の編地部の他方を、前記他端側から境界ウエールを形成する側まで１コース編成し、その編成の際に、ステップｃ１で目移しした編目に連続する境界ウエールとなる編目を形成するステップｄ１
後行する給糸口からの給糸で、前後の編地部の他方を、前記他端側から境界ウエールを形成する側まで１コース編成し、その編成の際に、境界ウエールとなる編目を形成しないステップｅ１
ステップｄ１で編成した境界ウエールとなる編目を対向する針床の空針に目移しするステップｆ１
ステップａ１からステップｆ１を繰り返し行うステップｇ１。
【請求項３】
請求の範囲第１項または第２項に記載の筒状編地の編成方法は、２本の編糸が交差しない側の編幅方向端部に境界ウエールを形成することを特徴とし、以下のステップにより行う；
先行する給糸口からの給糸で、前後の編地部の一方を、糸が交差する側から境界ウエールを形成する側まで１コース編成し、その編成の際に、境界ウエールとなる編目を形成しないステップａ２
後行する給糸口からの給糸で、前後の編地部の一方を、糸が交差する側から境界ウエールを形成する側まで１コース編成し、その編成の際に、境界ウエールとなる編目を形成するステップｂ２
ステップｂ２で編成した境界ウエールとなる編目を対向する針床の空針に目移しするステップｃ２
先行する給糸口からの給糸で、前後の編地部の他方を、境界ウエールを形成する側から交差する側まで１コース編成し、その編成の際に、ステップｃ２で目移しした編目に連続する境界ウエールとなる編目を形成しないステップｄ２
後行する給糸口からの給糸で、前後の編地部の他方を、境界ウエールを形成する側から交差する側まで１コース編成し、その編成の際に、ステップｃ２で目移しした編目に連続する境界ウエールとなる編目を形成するステップｅ２
ステップｅ２で編成した境界ウエールとなる編目を対向する針床の空針に目移しするステップｆ２
ステップａ２からステップｆ２を繰り返し行うステップｇ２。
【請求項４】
少なくとも前後一対の針床を有し、前後の針床間で編目の目移しが可能に構成される横編機を用いて、２つの給糸口から給糸してダブルシステム編成により筒状に編成される筒状編地であって、
前側編地部と後側編地部の前後の境界に、境界ウエールが形成され、
この境界ウエールは、編目を捻りながら編目を連続形成されるとともに、この捻じれた編目を形成する編糸と異なる編糸を捻じれた編目に巻きつけて形成されていることを特徴とする筒状編地。
【発明の詳細な説明】
【技術分野】
【０００１】
本発明は、２つの給糸口から給糸してダブルシステム編成により筒状編地を編成する方法およびこのダブルシステム編成により編成された筒状編地に関する。
【背景技術】
【０００２】
少なくとも前後一対の針床を有する横編機において、２つの給糸口を、針床の長手方向に時間をずらして走行させて編成するダブルシステム編成により編地を編成すると、効率よく編成を行うことができる（特許文献１参照）。【０００３】
【特許文献１】特許第３１２１２８３号公報
【発明の開示】
【発明が解決しようとする課題】
【０００４】
ところで、ダブルシステム編成により筒状に編地を編成する場合、図６に示すように、後行の第二給糸口５を編機前面側から見て手前側に設け、先行の第一給糸口６を奥側に設けて筒状に編成すると、給糸口の進行方向の反転位置となる編幅方向端部の一方で２本の編糸が交差してしまうという問題がある。この編糸の交差部分は、回りの編目により編糸が引っ張られて、前後の編地部の境界Ｘに、図７に示すような孔ｇが発生してしまう。特許文献１では、この交差部分の孔が目立ち難くなるように編成している。【０００５】
本出願人は、ダブルシステム編成により糸が交差する場合でも、前後の編地部の境界部分に孔が空かないように筒状編地の編成が行える編成方法を見出した。【０００６】
そこで、本発明は、ダブルシステム編成により筒状に編地の編成を行う場合でも、前側編地部と後側編地部との境界部分に大きな孔が発生しない編地を提供することを目的とする。
【課題を解決するための手段】
【０００７】
本発明の編地の編成方法は、少なくとも前後の針床を有し、前後の針床の少なくとも一方が左右にラッキング可能で、前後の針床間で編目の目移しが可能に構成される横編機を用いて、２つの給糸口から給糸してダブルシステム編成により筒状に連続編成を行う筒状編地の編成方法であり、以下の編成方法により前側編地部と後側編地部との境界部分に孔が開かないようにすることを特徴とする。【０００８】
本発明の筒状編地の編成方法は、ダブルシステム編成を行う際、前側編地部と後側編地部の前後の境界に、境界ウエールを形成し、この境界ウエールは、編目を捻りながら編目を連続形成していくとともに、この捻じれた編目を形成する編糸と異なる編糸を捻じれた編目に巻きつけて形成する。【０００９】
本発明の境界ウエールを形成する編成方法は、２本の編糸が交差する側の編幅方向端部に境界ウエールを形成する場合には、以下のステップにより行うことができる。【００１０】
先行する給糸口からの給糸で、前後の編地部の一方を、境界ウエールを形成する側から他端側まで１コース編成し、その編成の際に、境界ウエールとなる編目を形成しないステップａ１、
後行する給糸口からの給糸で、前後の編地部の一方を、境界ウエールを形成する側から他端側まで１コース編成し、その編成の際に、境界ウエールとなる編目を形成するステップｂ１、
ステップｂ１で編成した境界ウエールとなる編目を対向する針床の空針に目移しするステップｃ１、
先行する給糸口からの給糸で、前後の編地部の他方を、前記他端側から境界ウエールを形成する側まで１コース編成し、その編成の際に、ステップｃ１で目移しした編目に連続する境界ウエールとなる編目を形成するステップｄ１、
後行する給糸口からの給糸で、前後の編地部の他方を、前記他端側から境界ウエールを形成する側まで１コース編成し、その編成の際に、境界ウエールとなる編目を形成しないステップｅ１、
ステップｄ１で編成した境界ウエールとなる編目を対向する針床の空針に目移しするステップｆ１、
ステップａ１からステップｆ１を繰り返し行うステップｇ１。【００１１】
また、本発明の境界ウエールを形成する編成方法は、２本の編糸が交差しない側の編幅方向端部に境界ウエールを形成する場合には、以下のステップにより行うことができる。【００１２】
先行する給糸口からの給糸で、前後の編地部の一方を、糸が交差する側から境界ウエールを形成する側まで１コース編成し、その編成の際に、境界ウエールとなる編目を形成しないステップａ２、
後行する給糸口からの給糸で、前後の編地部の一方を、糸が交差する側から境界ウエールを形成する側まで１コース編成し、その編成の際に、境界ウエールとなる編目を形成するステップｂ２、
ステップｂ２で編成した境界ウエールとなる編目を対向する針床の空針に目移しするステップｃ２、
先行する給糸口からの給糸で、前後の編地部の他方を、境界ウエールを形成する側から交差する側まで１コース編成し、その編成の際に、ステップｃ２で目移しした編目に連続する境界ウエールとなる編目を形成しないステップｄ２、
後行する給糸口からの給糸で、前後の編地部の他方を、境界ウエールを形成する側から交差する側まで１コース編成し、その編成の際に、ステップｃ２で目移しした編目に連続する境界ウエールとなる編目を形成するステップｅ２、
ステップｅ２で編成した境界ウエールとなる編目を対向する針床の空針に目移しするステップｆ２、
ステップａ２からステップｆ２を繰り返し行うステップｇ２。【００１３】
上記ダブルシステム編成方法により編成された筒状編地は、前側編地部と後側編地部の前後の境界に、境界ウエールが形成され、この境界ウエールは、編目を捻りながら編目を連続形成されるとともに、この捻じれた編目を形成する編糸と異なる編糸を捻じれた編目に巻きつけて形成されている。
【発明の効果】
【００１４】
本発明の筒状編地の編成方法によれば、ダブルシステム編成で筒状に編成を行っても、前側編地部と後側編地部の前後境界に、捻りながら編目を形成すると共に、この捻じれた編目を形成する編糸と異なる編糸を捻じれた編目に巻きつけて編成した境界ウエールを形成するので、この境界ウエールによって、従来生じていた孔が空くことがなくなり、境界部分の外観を美しくできる。しかも、捻じれ目と編糸の巻きつけにより形成される境界ウエールによって、ミシンステッチのような外観が得られて、デザイン的にも優れた編地を作製できる。さらに、ダブルシステム編成により編成を行うので、編地の生産性を向上できる。【００１５】
また、本発明の筒状編地の編成方法によれば、従来のダブルシステム編成において、糸が交差する側の前後境界部分にのみ、境界ウエールを形成することもできるし、糸が交差しない側の前後境界部分にのみ、境界ウエールを形成することもできる。さらに、双方の前後境界部分に境界ウエールを形成することもできる。【００１６】
糸が交差する側の前後境界部分に本発明の境界ウエールを形成することにより、従来空いていた孔を無くすことができるのはもちろんのこと、前後の境界部分にミシンステッチのような外観も得られる。また、糸が交差しない側で、もともと孔が空かない前後境界部分に本発明の境界ウエールを積極的に形成する場合には、当該部分にミシンステッチのような外観を得ることができる。【００１７】
特に、身頃の編成において、双方の前後境界部分に境界ウエールを形成する場合には、前後境界部分を身頃の脇部にすることにより、身頃の両脇部に同じようなミシンステッチ状のラインが形成されるので、デザイン的に身頃の外観が良くなる。
【発明を実施するための最良の形態】
【００１８】
次に本発明の好適な実施の形態を図面に基づいて以下に詳細に説明する。本実施形態は、左右方向に延び、かつ、前後方向に互いに対向する前後一対の針床を有し、後針床が左右にラッキング可能で、しかも、前後の針床間で編目の目移しが可能な４枚ベッドの横編機を用いて編地を編成する。【００１９】
本発明の筒状編地の編成方法では、編地を編成するに当たって、前針床、後針床からなる２枚ベッドの横編機を用いて編成することもできる。２枚ベッドの横編機を用いて編地を編成する場合は、１本おきに空針を設けた状態で編地を編成する。また、２枚ベッドの横編機を用いる場合、前後針床の一方または両方の上位にトランスファージャックを列設したトランスファージャックベッドを設けて編地を編成するようにしてもよい。【００２０】
４枚ベッド横編機は、下部前針床と下部後針床の上に、下部の針床と同ピッチで多数の編針が列設された上部前針床と上部後針床を備えている。以下、下部前針床を単にＦＤと、下部後針床を単にＢＤと、上部前針床を単にＦＵと、上部後針床を単にＢＵという。【００２１】
本実施形態では、４枚ベッドの横編機のＦＤで、前身頃と左右の袖の前側編地部を編成し、ＢＤで後身頃と左右の袖の後側編地部を編成するようにしている。【００２２】
前記したＦＵおよびＢＵを用いることにより、リンクス、ガーター、リブなどの表目と裏目が混在した組織柄を編成したり、編目の回し込みや、編目の重ねを行うことができる。【００２３】
本実施形態で使用する横編機は、編機前面側から見て手前側（前側）に位置するガイドレール上（図示なし）に摺動可能に設けられる第二給糸口５と、奥側（後側）に位置するガイドレール上に摺動可能に設けられる第一給糸口６とを備える。【００２４】
本実施形態のダブルシステム編成を行う横編機では、編成に用いるカムシステムＳ２、カムシステムＳ３と、目移しに用いるカムシステムＳ１、カムシステムＳ４とが搭載されたキャリッジを備える。本実施形態では、カムシステムＳ１は使用しないため図１の編成工程図では省略されている。以下、カムシステムＳ２、カムシステムＳ３、カムシステムＳ４を単にＳ２、Ｓ３、Ｓ４という。編成工程において、キャリッジの進行方向の先行側からのカムシステムを常にＳ２，Ｓ３，Ｓ４としている。【００２５】
これらカムシステムによりキャリッジの１回の往動または復動する間に、先行する第一給糸口６から給糸される編糸での編成と、後行する第二給糸口５から給糸される編糸での編成と、目移しとを行うダブルシステム編成を行う。【００２６】
本実施形態で編成されるセーター1は、図５に示すように、丸首の長袖のセーター１で、身頃２、右袖３、左袖４を有している。このセーター1は、身頃２を前身頃と後身頃とを連続して筒状に編成し、左右の袖３,４も筒状に編成した後、身頃２と袖３,４の接合部分において、身頃２と袖３,４を１つの連続した筒状となるように編成して接合する。セーター1における身頃２、袖３,４の編組織は、説明の便宜上、平編みの無地とし、身頃２の裾部と袖３,４の袖口部分はリブ編みとしている。なお、本実施形態では、身頃、袖の左右を表す用語、例えば、右袖３や左袖４などの右と左は、セーター1を着用した状態の着用者を基準にしている。【００２７】
本実施形態のセーター1は、身頃２の後身頃、右袖３および左袖４の後側編地部は、主としてＢＤの針を、空針を設けることなく総針状態で使用して編成される。身頃２の前身頃、右袖３および左袖４の前側編地部は、主としてＦＤの針を、空針を設けることなく総針状態で使用して編成される。【００２８】
本実施形態では、ダブルシステム編成で筒状編地を編成する場合に、筒状編地の前側編地部と後側編地部の前後境界部に、前後の境界となる境界ウエールを形成する。この境界ウエールは、編目を捻りながら編目を連続形成していくとともに、この捻じれた編目を形成する編糸と異なる編糸を捻じれた編目に巻きつけていくようにしている。【００２９】
以下本発明の筒状編地に境界ウエールを形成するための編成方法の実施形態について、図１の編成工程図と図２および図３のループ図に基づいて説明する。図１の編成工程図は、身頃２を筒状に編成する際の前後の編地部の編幅方向端部の編成方法についての工程図を示している。【００３０】
また、図２に示すループ図は、身頃２の前側編地部ＦＦと後側編地部ＢＦの境界部分のうち、左側の脇部における編地ループ図を示す。そして、本実施形態では、身頃２の左側の脇部は、ダブルシステム編成において２本の編糸が交差する側となる。図３に示すループ図は、身頃２の前側編地部ＦＦと後側編地部ＢＦの境界部分のうち、右側の脇部における編地ループ図を示す。【００３１】
図１の編成工程図において、説明の便宜上、身頃２の編目の数は、実際の編成で使用される本数よりも少なく表示している。図１に示すアルファベットＡ〜Ｒは、前後に対向配置したＦＤ、ＢＤの針を示す。なお、図１の編成工程図では、ＦＵ、ＢＵは省略している。さらに、編地ループ図の大文字アルファベットと編成工程図に示すアルファベットは対応させている。図１において、左端の数字は編成ブロック番号を示し、右端の欄の矢印は、編成方向を示している。図２および図３の一点鎖線Ｘは、前側編地部ＦＦと後側編地部ＢＦの境界線を示している。【００３２】
図１に示すステップＳは、身頃１の編成途中の段階で、ＦＤとＢＤの針ＣからＮに編目が係止されて、身頃１が筒状に編成されている状態を示している。ＦＤに係止されている編目は、身頃１の前側編地部ＦＦの編目であり、ＢＤに係止されている編目は身頃１の後側編地部ＢＦの編目である。【００３３】
図１の編成ブロック１では、キャリッジを左方向に移動させ、まず、第一給糸口６からＦＤに給糸して、先行のＳ２で前側編地部ＦＦを１コース編成する。次に、第二給糸口５からＦＤに給糸して、後行のＳ３で、Ｓ２により編成された編目に連続して次のコースを編成する。Ｓ３では、編幅方向両端において、Ｓ２により第一給糸口６から給糸されて編成された編目数よりも一目ずつ多く編目を形成する。即ち、ＦＤの針Ｂと針Ｏにも編目を形成する。最後に、Ｓ４により、前側編地部ＦＦのＳ３で編成された編目のうち、ＦＤの針Ｏに係止されている編地を、対向するＢＤの針Ｏに目移しすると共に、ＦＤの針Ｂに係止されている編目を、対向するＢＤの針Ｂに目移しする。このとき、図１の左側端部の編目は、第一給糸口６が第二給糸口５よりも後側に配置されているため、ＦＤの針Ｂに係止されている編目を対向するＢＤの針Ｂに目移しすると、第二給糸口５から給糸された編糸が、第一給糸口６から給糸された編糸の上をまたぐ状態になる。【００３４】
次の編成ブロック２では、まず、第一給糸口６からＢＤに給糸して、先行のＳ２で後側編地部を１コース編成する。このとき、編成ブロック１のＳ４で目移しされた編目が係止されるＢＤの針Ｂでは編目を形成せず、ＢＤの針Ｏには編目を形成する。このＳ２による編成により、ＢＤの針Ｂに係止される編目は、第一給糸口６から給糸される編糸が巻きついた状態になる（図３のループ図に示す編糸ａ）。【００３５】
そして、編成ブロック２では、第二給糸口５からＢＤに給糸して、後行のＳ３で、Ｓ２により編成された編目に連続して次のコースを編成する。ＢＤの針Ｂでは編目を形成し、ＢＤの針Ｏには編目を形成しない。Ｓ３による編成で、編成ブロック１のＳ４で目移しされてＢＤの針Ｂに係止されていた編目は、捻じられた状態になる（図３のループ図に示す編目ｂ）。さらに、この捻じられた編目に連続して、針Ｂにおいて同じ編糸（第二給糸口５から給糸した編糸）で編目が形成される（図３のループ図に示す編目ｃ）。【００３６】
編成ブロック２では最後に、Ｓ４により、Ｓ３で第二給糸口５から給糸して編成されたＢＤの針Ｂの編目を、対向するＦＤの針Ｂに目移しすると共に、Ｓ２で第一給糸口６から給糸して編成されたＢＤの針Ｏの編目を、対向するＦＤの針Ｏに目移しする。これらの目移しにより、ＦＤの針Ｂに係止される編目は、捻じられた状態になり（図３のループ図に示す編目ｃ）、針Ｏに係止される編目は、捻じられた状態になる（図２のループ図に示す編目ｅ）。【００３７】
次の編成ブロック３は、編成ブロック１と同じ編成を行う。編成ブロック２の関係から、編幅方向端部に形成される編目の状態について説明する。第一給糸口６からＦＤに給糸して、先行のＳ２で前側編地部ＦＦを１コース編成するが、ＦＤの針Ｏと針Ｂには編目は形成しない。そのため、編成ブロック２のＳ２で形成した針Ｏに係止される編目から続いて隣の針Ｎに編目が形成される。このとき、針Ｏに係止される編目には、第二給糸口５から給糸される編糸が巻きついた状態になる（図２のループ図に示す編糸ｄ）。【００３８】
編成ブロック３のＳ３では、第二給糸口５から給糸されて編成される編目のうち、編幅方向端部のＦＤの針Ｏで編成される編目は、第一給糸口６から給糸された編糸で編成された編目に連続して形成され、針Ｂで編成される編目は、同じ第二給糸口５から給糸された編糸で編成された編目に連続して形成される。【００３９】
編成ブロック３のＳ４では、ＦＤの針Ｂと針Ｏに係止されている編目を対向するＢＤの針Ｂと針Ｏに目移しする。このとき、ＢＤの針Ｏに係止される編目は、捻じられた状態になる（図２のループ図に示す編目ｆ）。【００４０】
このようにして、境界ウエールを編成することにより、この境界ウエールは、編目を捻りながら連続して編成されていき、さらに、この捻じれた編目を形成する編糸と異なる編糸を捻じれた編目に巻きつけた状態になる。その結果、この境界ウエールにより、ダブルシステム編成により従来生じていた孔が空くことがなくなり、しかも、捻じれ目と編糸の巻きつけにより、ミシンステッチのような外観が得られて、デザイン的にも優れた編地を編成できる。さらに、境界ウエールの編目は、捻じれた状態になる上に、さらに、他の編糸が巻きついた状態になるので、編地の境界部分を伸び難い状態にできる。【００４１】
なお、図２および図３に示すループ図は、説明の便宜上、各針に対応する位置に境界ウエールの編目を表現しているが、実際に編目が安定した状態になると、図４の画像に示すように境界ウエールの編目は、ウエール方向に真直ぐに延びた状態になる。【００４２】
ここで、本実施形態では、従来のダブルシステム編成で編成したときに、身頃1の左脇部でのみ編糸が交差するようになっている。従って、この左脇部にだけ孔が空かないように境界ウエールを形成すれば良いが、身頃は、左右の脇の状態を同じ状態にする方が外観が良くなるので、本実施形態では、両方の脇部に境界ウエールを形成した。一方で、袖に本発明の境界ウエールを形成する場合には、従来のダブルシステム編成で編成したときに、身頃側となる内側で糸を交差させるように編成することにより、境界ウエールは、糸が交差しない側となる袖の外側には形成せず、袖の内側にのみ形成することができる。【００４３】
さらに、ダブルシステム編成を行う場合、２本の編糸を給糸する給糸口は、本実施形態では、手前側に第二給糸口５を設け、奥側に第一給糸口６を設けて、第一給糸口６を常に先行させた。しかしながら、本発明の編成方法は、往路において奥側の第一給糸口６を先行させた後、復路において手前側の第二給糸口５を先行させる場合にも適用できる。さらに、４つの給糸口をそれぞれ別のガイドレールに配置させて、給糸口を切り換えながら２本の糸で編成する場合にも本発明を適用できるし、同じガイドレールに２つの給糸口を配置させて編成する場合にも適用できる。このような給糸口の配置を行うと、糸の交差の発生の仕方が本実施形態と異なり、例えば本実施形態と反対側端部に糸の交差が発生したり、編幅方向両端部に糸の交差が発生したりする場合もあるが、本発明に係る境界ウエールの形成方法は、糸の交差の状態が異なっても適宜対応することができる。
【産業上の利用可能性】
【００４４】
本発明の筒状編地の編成方法は、２つの給糸口を使用してダブルシステム編成を行う場合に適している。
【図面の簡単な説明】
【００４５】
【図１】本発明の境界ウエールを形成するための編成工程図である。
【図２】ダブルシステム編成で筒状に編成したときの前後の編地部の境界部に境界ウエールを形成した状態を示す編地のループ図であって、身頃の左側脇部のループ図である。
【図３】ダブルシステム編成で筒状に編成したときの前後の編地部の境界部に境界ウエールを形成した状態を示す編地のループ図であって、身頃の右側脇部のループ図である。
【図４】ダブルシステム編成で筒状に編成したときの前後の編地部の境界部に境界ウエールを形成した状態を示す編地表面の画像である。
【図５】本発明の筒状編地の編成方法で編成されるセーターの前身頃側からみたパーツ平面図である。
【図６】ダブルシステム編成で筒状に編成したときの二つの給糸口の状態を示す説明図である。
【図７】ダブルシステム編成で筒状に編成したときの前後の編地部の境界部に発生する孔の状態を示すループ図である。
【符号の説明】
【００４６】
１  セーター
２  身頃
３  右袖
４  左袖
６  第一給糸口
５  第二給糸口
ＦＦ  前側編地部
ＢＦ  後側編地部
【図１】
2007099709.tif 000003
【図２】
2007099709.tif 000004
【図３】
2007099709.tif 000005
【図５】
2007099709.tif 000006
【図６】
2007099709.tif 000007
【図７】
2007099709.tif 000008
【図４】
2007099709.tif 000009
【国際調査報告】
2007099709.tif 000010
2007099709.tif 000011